(57)【要約】【課題】溶接の状態を撮像装置で撮像し、撮像画像に基づいて教示位置の倣い補正を行う場合、溶接スパッタが撮像装置のレンズに付着したり、溶接ヒュームが撮像装置のレンズを曇らせたりするおそれがある。溶接を行う際に用いるシールドガスを利用して、レンズへの溶接スパッタや溶接ヒュームの付着防止を図る従来技術では、シールドガスの影響により溶接不良が生じるおそれがある。【解決手段】本発明の光学装置は、開口部を有するカバー部材と、カバー部材により覆われるとともに、開口部に対応する一の領域を含み、一の領域を変更可能に構成された１または複数の光学部材とを備える。このように構成した光学装置によって、溶接不良が生じるおそれを低減しつつ撮像装置を保護することができる。【選択図】図４
2016155156.tif 000002
【特許請求の範囲】
【請求項１】
開口部を有するカバー部材と、
前記カバー部材により覆われるとともに、前記開口部に対応する一の領域を含み、前記一の領域を変更可能に構成された１または複数の光学部材と
を備えた光学装置。
【請求項２】
前記１または複数の光学部材は、複数の光学部材であり、
前記複数の光学部材のうちの１つを、前記開口部に対応する位置に選択的に配置することにより、前記一の領域を変更する
請求項１に記載の光学装置。
【請求項３】
前記カバー部材は、円筒部を有し、
前記複数の光学部材は、前記円筒部の内側において周方向に並設された
請求項２に記載の光学装置。
【請求項４】
前記複数の光学部材を周方向に回転させるモータをさらに備えた
請求項３に記載の光学装置。
【請求項５】
前記カバー部材は、筒部を有し、
前記複数の光学部材は、前記筒部の内側において軸方向に並設された
請求項２に記載の光学装置。
【請求項６】
前記１または複数の光学部材は、単一の光学部材である
請求項１に記載の光学装置。
【請求項７】
前記カバー部材は、円筒部を有し、
前記光学部材は、円筒形状を有する
請求項６に記載の光学装置。
【請求項８】
前記カバー部材により覆われるとともに、前記開口部に対応する位置に配置された反射部材をさらに備えた
請求項１から請求項７のいずれか一項に記載の光学装置。
【請求項９】
開口部を有するカバー部材と、
前記カバー部材により覆われるとともに、前記開口部に対応する一の領域を含み、前記一の領域を変更可能に構成された１または複数の光学部材と、
前記光学部材における前記一の領域を介して撮像を行う撮像部と
を備えた撮像装置。
【請求項１０】
溶接ロボットと、
前記溶接ロボットの動作を制御する制御装置と、
前記溶接ロボットが溶接する溶接対象を撮像する撮像装置と
を備え、
前記撮像装置は、
開口部を有するカバー部材と、
前記カバー部材により覆われるとともに、前記開口部に対応する一の領域を含み、前記一の領域を変更可能に構成された１または複数の光学部材と、
前記１または複数の光学部材における前記一の領域を介して前記溶接対象を撮像する撮像部と
を有する
溶接ロボットシステム。
【請求項１１】
前記撮像装置が撮像した撮像画像に基づいて、前記１または複数の光学部材における前記一の領域を変更させる画像処理装置をさらに備えた
請求項１０に記載の溶接ロボットシステム。
【発明の詳細な説明】
【技術分野】
【０００１】
本発明は、光学装置、撮像装置、および溶接ロボットシステムに関する。
【背景技術】
【０００２】
例えば、アーク溶接を行う場合において、溶接の状態を撮像装置で撮像し、撮像画像に基づいて、溶接条件を変更し、あるいは溶接ロボットの倣い補正を行うことがある。その際、撮像装置は、しばしば、溶接トーチの近くに設置される。そのため、例えば、溶接スパッタが撮像装置のレンズに付着し、あるいは、溶接ヒュームが撮像装置のレンズを曇らせるおそれがある。このような場合には、撮像画像が不鮮明になり、その結果、適切に溶接を制御することができなくなるおそれがある。
【０００３】
溶接時における撮像装置のレンズの保護について、様々な技術が開示されている。例えば、特許文献１〜３には、溶接を行う際に用いるシールドガスを利用して、レンズ（フィルタ）への溶接スパッタや溶接ヒュームの付着防止を図る溶接装置が開示されている。
【先行技術文献】
【特許文献】
【０００４】
【特許文献１】特開２０１０−２１４４３５号公報
【特許文献２】特開２００３−１６４９７１号公報
【特許文献３】特開平９−０３８７７４号公報
【発明の概要】
【発明が解決しようとする課題】
【０００５】
しかしながら、このようにシールドガスを利用して、溶接トーチの近くに設置された撮像装置を保護する場合には、このシールドガスの影響により溶接不良が生じるおそれがある。
【０００６】
本発明はかかる問題点に鑑みてなされたもので、その目的は、溶接不良が生じるおそれを低減しつつ撮像装置を保護することができる、光学装置、撮像装置、および溶接ロボットシステムを提供することにある。
【課題を解決するための手段】
【０００７】
本発明の光学装置は、カバー部材と、１または複数の光学部材とを備えている。カバー部材は、開口部を有するものである。１または複数の光学部材は、カバー部材により覆われるとともに、開口部に対応する一の領域を含み、一の領域を変更可能に構成されたものである。
【０００８】
本発明の撮像装置は、カバー部材と、１または複数の光学部材と、撮像部とを備えている。カバー部材は、開口部を有するものである。１または複数の光学部材は、カバー部材により覆われるとともに、開口部に対応する一の領域を含み、一の領域を変更可能に構成されたものである。撮像部は、光学部材における一の領域を介して撮像を行うものである。
【０００９】
本発明の溶接ロボットシステムは、溶接ロボットと、制御装置と、撮像装置とを備えている。制御装置は、溶接ロボットの動作を制御するものである。撮像装置は、溶接ロボットが溶接する溶接対象を撮像するものである。上記撮像装置は、カバー部材と、１または複数の光学部材と、撮像部とを有している。カバー部材は、開口部を有するものである。１または複数の光学部材は、カバー部材により覆われるとともに、開口部に対応する一の領域を含み、一の領域を変更可能に構成されたものである。撮像部は、１または複数の光学部材における一の領域を介して溶接対象を撮像するものである。
【００１０】
本発明の光学装置、撮像装置、および溶接ロボットシステムでは、カバー部材に開口部が設けられ、１または複数の光学部材のうちの一の領域が、開口部に対応するように配置される。そして、１または複数の光学部材におけるこの一の領域は、変更可能に構成される。
【発明の効果】
【００１１】
本発明の光学装置、撮像装置、および溶接ロボットシステムによれば、１または複数の光学部材において、開口部に対応する一の領域を変更可能に構成したので、溶接不良が生じるおそれを低減しつつ撮像装置を保護することができる。
【図面の簡単な説明】
【００１２】
【図１】本発明の一実施の形態に係る溶接ロボットシステムの概略構成の一例を表す構成図である。
【図２】第１の実施の形態に係る撮像装置の一構成例を表す説明図である。
【図３Ａ】第１の実施の形態に係る撮像装置の一構成例を表す斜視図である。
【図３Ｂ】第１の実施の形態に係る撮像装置の一構成例を表す他の斜視図である。
【図４】第１の実施の形態に係る撮像装置の一構成例を表す分解斜視図である。
【図５Ａ】第１の実施の形態の変形例に係る撮像装置の一構成例を表す斜視図である。
【図５Ｂ】第１の実施の形態の変形例に係る撮像装置の一構成例を表す他の斜視図である。
【図６Ａ】第２の実施の形態の変形例に係る撮像装置の一構成例を表す斜視図である。
【図６Ｂ】第２の実施の形態の変形例に係る撮像装置の一構成例を表す他の斜視図である。
【図７】第２の実施の形態に係る撮像装置の一構成例を表す分解斜視図である。
【発明を実施するための形態】
【００１３】
以下、本発明の実施の形態について、図面を参照して詳細に説明する。なお、説明は以下の順序で行う。
１．第１の実施の形態
２．第２の実施の形態
【００１４】
＜１．第１の実施の形態＞
［構成例］
図１は、第１の実施の形態に係る光学装置が適用された溶接ロボットシステム（溶接ロボットシステム１）の概略構成の一例を表すものである。溶接ロボットシステム１は、プログラム制御された多関節ロボットによってワークＷにアーク溶接を行うものである。
【００１５】
溶接ロボットシステム１は、マニピュレータ１０と、撮像装置２０と、ロボット制御装置３０と、ティーチペンダント４０と、溶接機５０と、画像処理装置６０とを備えている。溶接ロボットシステム１は、さらに、これらの装置を互いに接続するケーブルＬ１〜Ｌ７を備えている。ケーブルＬ１は、ロボット制御装置３０とマニピュレータ１０との間で通信するための通信ケーブルである。ケーブルＬ２は、ロボット制御装置３０とティーチペンダント４０との間で通信するための通信ケーブルである。ケーブルＬ３は、ロボット制御装置３０と溶接機５０との間で通信するための通信ケーブルである。ケーブルＬ４は、ロボット制御装置３０と画像処理装置６０との間で通信するための通信ケーブルである。ケーブルＬ５，Ｌ６は、溶接電極１４（後述）とワークＷとの間に高電圧の溶接電圧Ｖｓを供給するための電源ケーブルである。ケーブルＬ５は、溶接機５０および作業台１５（後述）に接続されており、ケーブルＬ６は、溶接機５０および後述の溶接トーチ１３に接続されている。ケーブルＬ７は、画像処理装置６０と撮像装置２０との間で通信するための通信ケーブルである。
【００１６】
マニピュレータ１０は、ロボット制御装置３０からの制御信号に基づいて溶接トーチ１３を移動させることによって、ワークＷに対してアーク溶接を行うものである。マニピュレータ１０は、ベース部材１１と、多関節アーム部１２と、溶接トーチ１３と、作業台１５とを有している。
【００１７】
ベース部材１１は、多関節アーム部１２および溶接トーチ１３を支持するものである。ベース部材１１は、例えばフロアに固定されるとともに、多関節アーム部１２の一端に連結されている。
【００１８】
多関節アーム部１２は、一端がベース部材１１に連結され、他端が溶接トーチ１３に連結されている。多関節アーム部１２は、この例では２つのアーム１２Ａ，１２Ｂと、アーム１２Ａ，１２Ｂを互いに連結する回動可能な関節軸（図示せず）とを有している。多関節アーム部１２は、さらに、例えば、アーム１２Ａ，１２Ｂをそれぞれ駆動する２つの駆動モータ（図示せず）と、各駆動モータに連結され、アーム１２Ａ，１２Ｂの位置を検出するエンコーダ（図示せず）とを有している。各駆動モータには、ロボット制御装置３０からケーブルＬ１を介して制御信号が供給される。この構成により、各駆動モータが制御信号に基づいてアーム１２Ａ，１２Ｂを駆動し、溶接トーチ１３が上下前後左右に移動する。そして、エンコーダは、アーム１２Ａ，１２Ｂの位置を検出し、その検出結果を、ケーブルＬ１を介してロボット制御装置３０に供給するようになっている。
【００１９】
溶接トーチ１３は、ワークＷに対してアーク溶接を行うものである。溶接トーチ１３は、多関節アーム部１２の他端（先端）に連結されている。溶接トーチ１３は、溶接電極１４を有している。この溶融電極１４には、溶接機５０からケーブルＬ６を介して溶融電圧Ｖｓが供給される。この構成により、溶接トーチ１３は、溶接電極１４の先端とワークＷとの間にアークを発生させ、そのアークの熱でワークＷを溶融させることにより、ワークＷに対してアーク溶接を行うようになっている。なお、アーク溶接を行う際に、さらに溶加棒を溶融させるようにしてもよい。この場合には、マニピュレータ１０は、溶加棒を溶接トーチ１３に供給するワイヤ送給装置をさらに有してもよい。
【００２０】
作業台１５は、フロア等に固定され、ワークＷを設置する台座として使用されるものである。作業台１５は、ワークＷに対するトーチ姿勢を最適に維持するためのポジショナであってもよい。この場合には、ロボット制御装置３０によってポジショナの軸が駆動制御される。作業台１５は、ケーブルＬ５を介して溶接機５０に接続され、ワークＷとケーブルＬ５とを互いに電気的に接続するように構成されている。
【００２１】
撮像装置２０は、溶接の状態を撮像するものである。撮像装置２０は、溶接トーチ１３との関係で不動位置に固定されている。
【００２２】
図２は、撮像装置２０の一構成例を表すものである。図３Ａは、撮像装置２０の斜視図を表すものであり、図３Ｂは、カバー（カバー２７）を外した状態での撮像装置２０の斜視図を表すものである。図４は、撮像装置２０の要部の分解斜視図を表すものである。撮像装置２０は、支持部２１と、撮像部２２と、ミラー２３と、保護ガラス支持部２４と、モータ２５と、保護ガラス２６と、カバー２７とを有している。
【００２３】
支持部２１（図２）は、撮像部２２、ミラー２３、およびモータ２５を支持するものである。支持部２１の一端は、図示していないが、溶接トーチ１３に固定されている
【００２４】
撮像部２２は、溶接の状態を撮像するものであり、例えば単焦点カメラにより構成されるものである。撮像部２２は、ミラー２３とともに支持部２１に固定されている。ミラー２３は、例えば、支持部２１に固定され、溶接電極１４の先端付近からの光線を撮像部２２に導くように構成されている。この構成により、撮像部２２は、ケーブルＬ７を介して画像処理装置６０から供給される制御信号に基づいて、ミラー２３を介して溶接の状態を撮像し、撮像画像を、ケーブルＬ７を介して画像処理装置６０に供給するようになっている。
【００２５】
保護ガラス支持部２４は、保護ガラス２６を支持するものである。保護ガラス支持部２４は、円筒形状を有するとともに、軸Ａを中心に回転可能に構成されている。保護ガラス支持部２４には、図３Ｂ，４に示したように、複数（この例では４つ）の開口部が周方向に並設されている。保護ガラス支持部２４は、その開口部に保護ガラス２６をそれぞれはめ込むことにより、保護ガラス２６を支持するようになっている。
【００２６】
モータ２５は、保護ガラス支持部２４を、軸Ａを中心に回転させるものである。モータ２５は、この例では、支持部２１に固定されるとともに、例えば、図示しないギアを介して、保護ガラス支持部２４の内側と結合している。この構成により、モータ２５は、ケーブルＬ７を介して画像処理装置６０から供給される制御信号に基づいて、保護ガラス支持部２４を回転駆動するようになっている。
【００２７】
保護ガラス２６は、溶接スパッタや溶接ヒュームから撮像部２２を保護する板状のガラスであり、耐熱性を有するものである。撮像装置２０は、図４に示したように、この例では、複数（この例では４枚）の保護ガラス２６を有している。各保護ガラス２６のサイズは、例えば、１０ｍｍ×１０ｍｍである。複数の保護ガラス２６は、保護ガラス支持部２４において周方向に並設された複数の開口部にはめ込まれており、保護ガラス支持部２４から着脱可能に構成されている。なお、これに限定されるものではなく、保護ガラス支持部２４自体を撮像装置２０から着脱可能に構成してもよい。各保護ガラス２６は、この例では、アーク溶接時に発生するアーク光に含まれる高強度の可視光線を減衰させるフィルタ機能を有している。なお、この例では、保護ガラス２６がフィルタ機能を有するようにしたが、これに限定されるものではなく、例えば、撮像部２２とミラー２３との間に、このような高強度の可視光線を減衰させるフィルタを設けてもよい。
【００２８】
カバー２７は、溶接スパッタや溶接ヒュームから撮像装置２０を保護するカバーであり、耐熱性を有する材料により構成されるものである。カバー２７は、撮像装置２０から着脱可能に構成されている。カバー２７は、円筒部２７１と底面部２７２とを有している。そして、この円筒部２７１の一部には、開口部２８が設けられている。撮像部２２は、この開口部２８を介して、溶接の状態を撮像するようになっている。
【００２９】
この構成により、撮像装置２０では、保護ガラス支持部２４を回転させ、カバー２７の開口部２８に対応する位置に複数の保護ガラス２６のうちのいずれかを選択的に配置する。これにより、撮像装置２０では、例えば、アーク溶接を行うことにより溶接スパッタや溶接ヒュームがその保護ガラス２６に付着した場合に、撮像に使用する保護ガラス２６を変更できるようになっている。
【００３０】
ロボット制御装置３０（図１）は、ティーチペンダント４０からの指示に従って多関節アーム部１２、溶接機５０、および画像処理装置６０を制御するものである。具体的には、ロボット制御装置３０は、いわゆるティーチング＆プレイバック方式を用いて、溶接ロボットシステム１を制御する。すなわち、まず、溶接ロボットシステム１では、例えば作業員は、ワークＷの溶接位置（開先位置）に沿った溶接トーチ１３の座標情報等（教示データ）を、ティーチペンダント４０を用いてあらかじめ設定しておく。そして、ロボット制御装置３０は、この教示データを利用して、多関節アーム部１２、溶接機５０、および画像処理装置６０を制御することにより、溶接作業を行うようになっている。
【００３１】
また、ロボット制御装置３０は、溶接を行う際に、いわゆる倣い制御を行う。すなわち、ロボット制御装置３０は、ワークＷの開先位置が、教示点に基づいて配置した溶接トーチ１３の溶接電極１４の先端位置からずれている場合に、教示データに対して、そのずれに応じた補正を行うようになっている。これにより、溶接ロボットシステム１では、溶接トーチ１３をより正確にワークＷの開先位置に沿わせることができるようになっている。
【００３２】
ティーチペンダント４０は、作業者がマニピュレータ１０の動作を教示するものである。
【００３３】
溶接機５０は、ロボット制御装置３０から供給された制御信号に基づいて、溶接電流Ｉｓおよび溶接電圧Ｖｓ等を制御することにより、溶接電極１４の先端とワークＷとの間にアークを発生させるものである。
【００３４】
画像処理装置６０は、撮像装置２０に対して制御信号を供給するとともに、撮像装置２０から供給された撮像画像を処理するものである。具体的には、画像処理装置６０は、例えば、撮像画像に基づいて、溶接トーチ１３の位置の補正データを導出し、その補正データをロボット制御部３０に対して供給する機能を有している。また、画像処理装置６０は、撮像画像が不鮮明である場合には、撮像装置２０のモータ２５を制御することにより、撮像に使用する保護ガラス２６を変更する機能をも有している。
【００３５】
ここで、カバー２７は、本発明における「カバー部材」の一具体例に対応する。保護ガラス２６は、本発明における「光学部材」の一具体例に対応する。
【００３６】
［動作および作用］
続いて、本実施の形態の溶接ロボットシステム１の動作および作用について説明する。
【００３７】
（全体動作概要）
まず、図１〜４を参照して、溶接ロボットシステム１の全体動作概要を説明する。ロボット制御装置３０は、ティーチペンダント４０からの指示に従って多関節アーム部１２、溶接機５０、および画像処理装置６０を制御する。多関節アーム部１２は、ロボット制御装置３０から供給された制御信号に基づいて、溶接トーチ１３が上下前後左右に移動させる。溶接機５０は、ロボット制御装置３０から供給された制御信号に基づいて、溶接電極１４の先端とワークＷとの間にアークを発生させる。画像処理装置６０は、撮像装置２０に対して制御信号を供給するとともに、撮像装置２０から供給された撮像画像を処理する。具体的には、画像処理装置６０は、例えば、撮像画像に基づいて、溶接トーチ１３の位置の補正データを導出し、その補正データをロボット制御部３０に対して供給する。ロボット制御部３０は、この補正データに基づいて、いわゆる倣い制御を行う。また、画像処理装置６０は、撮像画像が不鮮明である場合には、撮像装置２０のモータ２５を制御することにより、撮像に使用する保護ガラス２６を変更する。
【００３８】
（作用）
溶接ロボットシステム１では、撮像装置２０に、着脱可能な保護ガラス２６を設けるようにしたので、シンプルな構成で、溶接スパッタや溶接ヒュームから撮像部２２を保護することができる。特に、溶接ロボットシステム１では、特許文献１〜３に記載の溶接装置とは異なり、撮像部２２を保護するためにシールドガスを利用しないため、溶接不良が生じるおそれを低減しつつ、撮像部２２を保護することができる。さらに、シールドガスの使用量を抑えることができる。
【００３９】
また、溶接ロボットシステム１では、複数（この例では４枚）の保護ガラス２６を、保護ガラス支持部２４の周方向に並設するようにしたので、保護ガラス支持部２４を回転させることにより、使用する保護ガラス２６を変更することができる。これにより、溶接作業により、溶接スパッタや溶接ヒュームが付着してしまった場合でも、使用する保護ガラス２６を容易に変更することができる。その結果、鮮明な撮像画像を得ることができるため、例えば、倣い制御を効果的に行うことができ、溶接不良が生じるおそれを低減することができる。すなわち、例えば、保護ガラスを容易に変更できない場合には、保護ガラスに溶接スパッタや溶接ヒュームが多く付着してしまい、撮像画像が不鮮明になってしまう。この場合、画像処理装置では、例えば、被写体の位置を精度よく取得できないため、エラーが発生し、倣い制御に用いる補正データを求めることができなくなるおそれがある。その結果、溶接ロボットシステムでは、倣い制御を行うことができなくなるため、溶接不良が生じるおそれがある。一方、溶接ロボットシステム１では、使用する保護ガラス２６を容易に変更することができるため、使用する保護ガラス２６をきれいな状態に保つことができる。その結果、溶接ロボットシステム１では、鮮明な撮像画像を得ることができるので、溶接不良が生じるおそれを低減することができる。
【００４０】
また、溶接ロボットシステム１では、複数の保護ガラス２６を設け、カバー２７の開口部２８に対応する位置に、複数の保護ガラス２６のうちの１枚を配置するようにした。これにより、撮像に使用していない保護ガラス２６はカバー２７により保護されるため、これらの保護ガラス２６に溶接スパッタや溶接ヒュームが付着するおそれを低減することができ、まだ使用していない保護ガラス２６をきれいな状態に保つことができる。
【００４１】
また、溶接ロボットシステム１では、画像処理装置６０が、撮像画像が不鮮明である場合に、撮像装置２０のモータ２５を制御することにより、使用する保護ガラス２６を変更するようにしたので、作業者の負担を軽減することができる。
【００４２】
［効果］
以上のように本実施の形態では、着脱可能な保護ガラスを設けるようにしたので、シンプルな構成で、撮像部を保護することができる。特に、シールドガスを用いないため、溶接不良が生じるおそれを低減しつつ、撮像部を保護することができる。
【００４３】
本実施の形態では、複数の保護ガラスを、円筒部の周方向に並設するようにしたので、使用する保護ガラスを容易に変更することができる。その結果、鮮明な撮像画像を得ることができるため、溶接不良が生じるおそれを低減することができる。
【００４４】
本実施の形態では、開口部に対応する位置に、複数の保護ガラスのうちの１つを配置するようにしたので、まだ使用していない保護ガラスをきれいな状態に保つことができる。
【００４５】
［変形例１−１］
上記実施の形態では、画像処理装置６０は、撮像画像が不鮮明である場合に、撮像装置２０のモータ２５を制御することにより、使用する保護ガラス２６を変更したが、これに限定されるものではない。例えば、作業者が、例えばティーチペンダント４０を操作して、モータ２５を動作させることにより、使用する保護ガラス２６を変更してもよい。また、作業者が、直接、撮像装置２０の保護ガラス支持部２４を回転させてもよい。
【００４６】
［変形例１−２］
上記実施の形態では、複数の保護ガラス２６を、保護ガラス支持部２４の周方向に並設したが、これに限定されるものではなく、これに代えて、例えば、図５Ａ，５Ｂに示す撮像装置２０Ａのように、複数の保護ガラス２６を軸方向に並設してもよい。図５Ａは、撮像装置２０Ａの斜視図を表すものであり、図５Ｂは、カバー（カバー２７Ａ）を外した撮像装置２０Ａの斜視図を表すものである。撮像装置２０Ａは、カバー２７Ａと、保護ガラス支持部２４Ａとを有している。複数（この例では２枚）の保護ガラス２６は、保護ガラス支持部２４Ａの軸方向に並設されている。この場合、保護ガラス支持部２４Ａを軸方向に移動させることにより、使用する保護ガラス２６を変更することができる。なお、この例では、円筒形状の保護ガラス支持部２４Ａを用いたが、断面形状は円に限定されるものではなく、例えば、断面形状を矩形にしてもよい。
【００４７】
［その他の変形例］
また、これらの変形例のうちの２以上を組み合わせてもよい。
【００４８】
＜２．第２の実施の形態＞
次に、第２の実施の形態に係る溶接ロボットシステム２について説明する。本実施の形態は、撮像装置の構成が、上記第１の実施の形態と異なるものである。その他の構成は、上記第１の実施の形態（図１）と同様である。なお、上記第１の実施の形態に係る溶接ロボットシステム１と実質的に同一の構成部分には同一の符号を付し、適宜説明を省略する。
【００４９】
図１に示したように、溶接ロボットシステム２は、撮像装置８０を有している。
【００５０】
図６Ａは、撮像装置８０の斜視図を表すものであり、図６Ｂは、カバー２７を外した状態での撮像装置８０の斜視図を表すものである。図７は、撮像装置８０の要部の分解斜視図を表すものである。撮像装置８０は、保護ガラス支持部８４と、保護ガラス８６とを有している。
【００５１】
保護ガラス支持部８４は、保護ガラス８６を支持するものであり、第１の実施の形態に係る保護ガラス支持部２４（図２など）と同様に、軸Ａを中心に回転可能に構成されている。保護ガラス支持部８４は、保護ガラス８６と接続するための、図示しない接続部を有している。
【００５２】
保護ガラス８６は、溶接スパッタや溶接ヒュームから撮像部２２を保護するものであり、耐熱性を有するものである。この保護ガラス８６は、円筒形状を有している。すなわち、第１の実施の形態に係る撮像装置２０では、保護ガラス支持部２４の周方向に並設した複数の保護ガラス２６を用いたが、本実施の形態に係る撮像装置８０では、１部品として保護ガラス８６を構成している。保護ガラス８６は、保護ガラス支持部８４から着脱可能に構成されている。なお、これに限定されるものではなく、保護ガラス支持部８４自体を撮像装置８０から着脱可能に構成してもよい。
【００５３】
この構成により、撮像装置８０では、保護ガラス支持部８４を回転させることにより、撮像で使用する保護ガラス８６の領域を変更することができる。その際、変更前において使用した領域の領域と、変更後において使用する領域とが、互いに重ならないようにしてもよい。
【００５４】
また、変更前において使用した領域の一部と、変更後において使用する領域の一部とが互いに重なるようにしてもよい。具体的には、アーク溶接を行うことにより、溶接スパッタが、保護ガラス８６のうちの開口部２８に対応する領域のうちの一部に付着した場合には、その付着した部分がカバー２７により隠れる程度に、保護ガラス支持部８４を回転させてもよい。
【００５５】
溶接ロボットシステム２では、撮像装置８０に、円筒形状を有する保護ガラス８６を用いるようにしたので、アーク溶接中に、撮像で使用する保護ガラス８６の領域を変更することができる。すなわち、例えば、第１の実施の形態に係る溶接ロボットシステム１では、複数枚の保護ガラス２６を用いているため、アーク溶接中に、使用する保護ガラス２６を変更しようとすると、溶接状態を撮像できない期間が生じてしまう。一方、本実施の形態に係る溶接ロボットシステム２では、円筒形状を有する保護ガラス８６を用いるようにしたので、アーク溶接中に、使用する保護ガラス８６の領域を変更しても、溶接状態を撮像し続けることができる。
【００５６】
以上のように本実施の形態では、円筒形状を有する保護ガラスを用いるようにしたので、アーク溶接中に、使用する保護ガラスの領域を変更することができる。その他の効果は、上記第１の実施の形態の場合と同様である。
【００５７】
［変形例２−１］
上記実施の形態では、円筒形状の保護ガラス８６を用いたが、これに限定されるものではなく、これに代えて、例えば、半円筒形状の保護ガラスを用いてもよい。
【００５８】
［変形例２−２］
例えば、第２の実施の形態に係る撮像装置８０において、カバー２７の内側にブラシを設け、保護ガラス８６が回転する際に、そのブラシが保護ガラス８６に付着したスパッタなどを取り除くようにしてもよい。
【００５９】
［変形例２−３］
上記実施の形態では、撮像装置８０では、保護ガラス支持部８４を回転させることにより、撮像で使用する保護ガラス８６の領域を変更するようにしたが、その際、例えば、保護ガラス支持部８４が回転し続けるようにしてもよい。
【００６０】
［その他の変形例］
また、これらの変形例のうちの２以上を組み合わせてもよい。
【００６１】
以上、いくつかの実施の形態および変形例を挙げて本発明を説明したが、本発明はこれらの実施の形態等には限定されず、種々の変形が可能である。
【００６２】
例えば、上記の各実施の形態では、撮像部２２は、ミラー２３を介して撮像するようにしたが、これに限定されるものではなく、撮像部２２が、ミラーを介さずに、溶接状態を直接撮像するように構成してもよい。
【符号の説明】
【００６３】
１，２…溶接ロボットシステム、１０…マニピュレータ、１１…ベース部材、１２…多関節アーム部、１２Ａ，１２Ｂ…アーム、１３…溶接トーチ、１４…溶接電極、１５…作業代、２０，２０Ａ，８０…撮像装置、２１…支持部、２２…撮像部、２３…ミラー、２４，２４Ａ，８４…保護ガラス支持部、２５…モータ、２６，８６…保護ガラス、２７，２７Ａ…カバー、２７１…円筒部、２７２…底面部、２８…開口部、３０…ロボット制御装置、４０…ティーチペンダント、５０…溶接機、６０…画像処理装置、Ａ…軸、Ｌ１〜Ｌ７…ケーブル。
【図１】
2016155156.tif 000003
【図２】
2016155156.tif 000004
【図３Ａ】
2016155156.tif 000005
【図３Ｂ】
2016155156.tif 000006
【図４】
2016155156.tif 000007
【図５Ａ】
2016155156.tif 000008
【図５Ｂ】
2016155156.tif 000009
【図６Ａ】
2016155156.tif 000010
【図６Ｂ】
2016155156.tif 000011
【図７】
2016155156.tif 000012